(57)【要約】【課題】硬貨の抜け止めを防止し、硬貨を簡易に取り出せ、財布の代わりとなる実用的なコインホルダーを提供する。【解決手段】弾性体からなる複数の板状部材２を積層して形成されたホルダー本体３と、ホルダー本体３に複数の板状部材２を貫通して形成され、収容対象の硬貨より小径に形成された硬貨収納部６〜８とを備えたコインホルダー１であって、硬貨収納部６〜８は、複数の板状部材２における貫通部９の周縁部分を薄肉状に形成した羽先部10を備え、板状部材２の弾性力に抗して押し込まれた硬貨を前記羽先部10で狭持可能な構成とし、硬貨収納部６〜８を内周全体に硬貨の抜け止め防止力のある羽先部10を有する板状多層弾性構造とすることで、硬貨の収納・取り出しの際に、硬貨の収納・取り出しが素早く簡素にでき、収納された硬貨の抜け止めを防止することができる。【選択図】図１
2014018374.tif 000002
【特許請求の範囲】
【請求項１】
弾性体からなる複数の板状部材を積層して形成された本体と、
前記本体に前記複数の板状部材を貫通して形成され、収容対象の硬貨より小径に形成された硬貨収納部とを備えたコインホルダーであって、
前記硬貨収納部は、前記複数の板状部材における貫通部の周縁部分を薄肉状に形成した羽先部を備え、
前記板状部材の弾性力に抗して押し込まれた前記硬貨を前記羽先部で狭持可能な構成としたことを特徴とするコインホルダー。
【請求項２】
前記複数の板状部材における前記貫通部の周縁部分を切り欠き、前記羽先部の弾性力を軽減する切欠部を備えたことを特徴とする請求項１記載のコインホルダー。
【請求項３】
各種硬貨にそれぞれ対応可能な大きさに形成された複数の前記硬貨収納部を備えたことを特徴とする請求項１又は２に記載のコインホルダー。
【発明の詳細な説明】
【技術分野】
【０００１】
本発明は、硬貨を収納するコインホルダーに関するものである。
【背景技術】
【０００２】
従来、硬貨種類を選別し収納するコインホルダーには、硬貨収納用のホールの外壁が筒状構造であり、ホール表面の小さな突起で硬貨の抜け止めをするもの（例えば、特許文献１）、外周が袋状の弾性体で硬貨をホール内周の縦方向の波状凸部の反力で抜け止めするもの（例えば、特許文献２）、１つのホールに硬貨１枚を収納するカード状の展示目的のもの（例えば、特許文献３）があった。
【先行技術文献】
【特許文献】
【０００３】
【特許文献１】実開昭５７−１０２３１７号公報
【特許文献２】実開昭５３−１６１９０８号公報
【特許文献３】実開平０３−１２７５２６号公報
【発明の開示】
【発明が解決しようとする課題】
【０００４】
しかし、従来のコインホルダーでは、硬貨の抜け止め防止効果が弱く、重い硬貨の移動時の振動に耐えられない抜け止め効果しかもたない定置的なものであったり、マスコット的なものであったり、機械的に硬貨を止めるものであったりと、買い物などに持ち歩いて実用的な財布の代わりとする事が困難である、という問題点があった。
【０００５】
そこで、本願発明は上記した問題点に鑑み、硬貨の抜けを防止し、硬貨を簡易に取り出せ、財布の代わりとなる実用的なコインホルダーを提供することを目的とする。
【課題を解決するための手段】
【０００６】
請求項１の発明では、弾性体からなる複数の板状部材を積層して形成された本体と、
前記本体に前記複数の板状部材を貫通して形成され、収容対象の硬貨より小径に形成された硬貨収納部とを備えたコインホルダーであって、前記硬貨収納部は、前記複数の板状部材における貫通部の周縁部分を薄肉状に形成した羽先部を備え、前記板状部材の弾性力に抗して押し込まれた前記硬貨を前記羽先部で狭持可能な構成としたことを特徴とする。
【０００７】
請求項２の発明では、前記複数の板状部材における前記貫通部の周縁部分を切り欠き、前記羽先部の弾性力を軽減する切欠部を備えたことを特徴とする。
【０００８】
請求項３の発明では、各種硬貨にそれぞれ対応可能な大きさに形成された複数の前記硬貨収納部を備えたことを特徴とする。
【発明の効果】
【０００９】
本発明の請求項１記載の発明によれば、硬貨収納部を内周全体に硬貨の抜け止め防止力のある羽先部を有する板状多層弾性構造とすることで、硬貨の収納・取り出しの際に、硬貨の収納・取り出しが素早く簡素にでき、収納された硬貨の抜け止めを防止することができる。
【００１０】
本発明の請求項２記載の発明によれば、羽先部の弾性力を軽減することにより、硬貨の収納・取り出しがより素早く簡易にすることができる。
【００１１】
本発明の請求項３記載の発明によれば、硬貨の種類毎に簡易に選択し整理することができる。
【図面の簡単な説明】
【００１２】
【図１】本発明の実施例１におけるコインホルダーを示す斜視図である。
【図２】同上、コインホルダーの平面図である。
【図３】同上、コインホルダーの要部断面図である。
【図４】同上、羽先部付近の要部断面図である。
【図５】同上、羽先部の異なる実施形態を示す断面図である。
【図６】同上、羽先部のさらに異なる実施形態を示す断面図である。
【図７】同上、羽先部のさらに異なる実施形態を示す断面図である。
【図８】同上、コインホルダーに硬貨を収納した状態を示す要部断面図である。
【図９】同上、コインホルダーの要部断面図である。
【図１０】本発明の実施例２におけるコインホルダーを示す斜視図である。
【図１１】同上、コインホルダーの平面図である。
【図１２】同上、切欠部の異なる実施形態を示す要部の平面図である。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜図９は本発明の実施例１を示しており、本実施例のコインホルダー１は、複数の板状部材２を積層して形成されたホルダー本体３と、前記ホルダー本体３に収納対象の各硬貨Ｃより小径に貫通して形成された複数の硬貨収容部４とを備えた構成としている。
【００１５】
前記板状部材２は、シリコンゴム、樹脂又はゴム等の弾性体をシート状に形成したものである。板状部材２の厚さＴ１は、収納対象の硬貨Ｃの厚さＴ２の約0.7〜0.8倍程度が好ましい。
【００１６】
前記ホルダー本体３は、複数の板状部材２を積層し、各板状部材２の各硬貨収納部４から所定間隔だけ離れた四隅等の周縁同士をボルト・ナット等の固定手段５によって連結されている。ここで、固定手段５として、ボルト・ナットに代えて接着剤や糸での縫合等としてもよい。
【００１７】
前記硬貨収納部４は、ホルダー本体３の一側面から他側面までを貫通したオープンな硬貨収納用のホールとして形成されており、本実施例の硬貨収納部４として、百円硬貨及び五円硬貨を収納対象とする第１の硬貨収納部６と、十円硬貨を収納対象とする第２の硬貨収納部７と、五十円硬貨及び一円硬貨を収納対象とする第３の硬貨収納部８とを備えている。
【００１８】
前記第１の硬貨収納部６における、各板状部材２を連続して貫通して形成されるホールの直径Ｄ１を、百円硬貨（直径22.6ｍｍ：厚さ約1.7ｍｍ）及び五円硬貨（直径22ｍｍ：厚さ約1.5ｍｍ）の各直径より、約0.3〜1.0ｍｍ程度だけ若干小径に形成されている。
【００１９】
同様に、前記第２の硬貨収納部７における、各板状部材２を連続して貫通して形成されるホールの直径Ｄ２を、十円硬貨（直径23.5ｍｍ：厚さ約1.5ｍｍ）の直径より、約0.3〜1.0ｍｍ程度だけ若干小径に形成されている。
【００２０】
また、前記第３の硬貨収納部８における、各板状部材２を連続して貫通して形成されるホールの直径Ｄ３も、五十円硬貨（直径21ｍｍ：厚さ約1.7ｍｍ）及び一円硬貨（直径20ｍｍ：厚さ約1.5ｍｍ）の各直径より、約0.3〜1.0ｍｍ程度だけ若干小径に形成されている。
【００２１】
また、各硬貨収納部６〜８には、各板状部材２の貫通部９の周縁部分を薄肉状に形成した羽先部10を備えている。この羽先部10によって、各硬貨収納部６〜８のホール内周壁は、ホールの軸方向Ｘに連続した凹凸形状を有している。
【００２２】
前記各羽先部10は、各板状部材２の貫通部９より大径、かつ貫通部９と同心円状の仮想円11（図中、一点鎖線にて表示）から、各貫通部９の周縁端12にかけて、板状部材２の厚さを漸次薄く形成したものである。ここで、羽先部10において、最も薄く形成される羽先部10の先端部分である、貫通部９の周縁端12の厚さＴ３は、板状部材２の厚さＴ１の約0.5倍程度（例えば、約0.6ｍｍ）に形成されている。
【００２３】
また、羽先部10の貫通部９の径方向における長さ寸法Ｌ１は、各硬貨の厚さＴ２の約1.5〜2倍程度に形成されている。
【００２４】
羽先部10の断面形状としては、各板状部材２の一側面のみ仮想円11から周縁端12にかけて漸次板厚を減少させた傾斜部13を形成して薄肉状にしたもの（図３〜図５参照）、各板状部材２の一側面と他側面の交互に前記傾斜部13を形成して薄肉状にしたもの（図６参照）、各板状部材２の両側面に傾斜部として第１の傾斜部13Ａ及び第２の傾斜部13Ｂを形成して薄肉状にしたもの（図７参照）、上記の組み合わせからなるものが挙げられるが、各板状部材２の貫通部９の周縁部分を薄肉状に形成したものであれば、これらに限定されるものではないものとする。
【００２５】
以上の構成のコインホルダー１の使用方法について説明する。まず、各硬貨Ｃをコインホルダー１に収納する方法について説明すると、各硬貨Ｃを一円硬貨、五円硬貨、十円硬貨、五十円硬貨、百円硬貨にそれぞれ対応する第１の硬貨収納部６、第２の硬貨収納部７、第３の硬貨収納部８へ指にて押し込み収納する。
【００２６】
各硬貨収納部６〜８は、収納対象である各種硬貨の厚さＴ２（約1.5〜1.7ｍｍ程度）より若干狭い間隔Ｔ３（Ｔ３＝Ｔ１−Ｔ２＝約0.6ｍｍ程度）で羽先部10を有する弾性体からなる板状部材２を積層した、板状多層弾性体であるホルダー本体３に貫通穴をあけた構成となっており、硬貨収納部６〜８の内周壁が板状多層弾性体で構成されていることから、各硬貨収納部６〜８付近の羽先部10を含む板状部材２の鉛直方向（図中、Ｘ方向）への変形自由度が非常に高いものとなっている。
【００２７】
そして、各硬貨収納部６〜８の前述の鉛直方向（図中、Ｘ方向）と直交する水平方向のホールの直径Ｄ１〜Ｄ３は、収納対象である硬貨の直径より若干（約0.3〜1.0ｍｍ程度）小さく、ホールの内周壁には先を狭めて弾性復元力を軽減した羽先部10があるため、硬貨収納部６〜８へ硬貨を押し込むことが容易であり、硬貨によって羽先部10を有する板状部材２を弾性復元力に抗して押し開き、硬貨を羽先部10或いは羽先部10付近の板状部材２によって挟む又は引っ掛けた状態で硬貨収納部６〜８は保持する。その結果、板状部材２の貫通部９の周縁部分が硬貨の厚さＴ２により鉛直方向（図中、Ｘ方向）に膨張し、鉛直方向の弾性復元力によって硬貨を鉛直方向から強く挟むか、或いは板状部材２の貫通部９の周縁部分が硬貨により水平方向に押し広げられ、その水平方向の弾性復元力によって硬貨を水平方向から押し挟むことにより、硬貨収納部６〜８は対象硬貨を強固に保持することができる（図８参照）。
【００２８】
また、硬貨を硬貨収納部６〜８の軸方向（図中、Ｘ方向）と直行する水平方向に対して斜めに収納すると、硬貨に対して傾斜した状態となる硬貨収納部６〜８の内周壁から硬貨が抜けると羽先部10が硬貨を挟む力が小さくなり、硬貨の出し入れが容易に可能となる。
【００２９】
なお、収納対象の硬貨は、ホルダー本体３の厚さである硬貨収納部６〜８の軸方向Ｘの寸法Ｔ４の約80％程度に相当する枚数が収納可能である。
【００３０】
適度な硬貨の挿入・拘束力を発揮するためには、硬貨収納部６〜８のホール内径Ｄ１〜Ｄ３が収納対象の硬貨の直径より約0.3〜1.0ｍｍ程度狭ければよい。硬貨の挿入口である硬貨収納部６〜８のホール内径Ｄ１〜Ｄ３が狭いと硬貨収納部６〜８の弾性変形量が大きくなり、ホルダー本体３の歪みは大きくなるが、羽先部10の形状を適宜変更することにより、硬貨の収納・取り出しが可能となる。
【００３１】
尚、弾性体からなる板状部材２の厚さＴ１は硬貨の厚さＴ２の約0.7〜0.8倍程度、羽先部10の先端厚Ｔ３は板状部材２の厚さＴ１の約0.5倍程度、羽先部10の長さ寸法Ｌ１は硬貨の厚さＴ２の約1.5〜2倍程度、板状部材２の硬貨収納部６〜８が並設された方向の長さ寸法Ｌ２は各硬貨収納部６〜８のホール内径Ｄ１〜Ｄ３と収納対象の硬貨の直径との差数に硬貨の厚さＴ２の約2.5〜3倍程度を足した値以上でよいものとする。
【００３２】
硬貨を収納した状態のコインホルダー１が強く振られて、慣性で硬貨が飛び出してしまうのを防ぐためには、上述の板状部材２の厚さＴ１を大きくして弾性力を大きくしたり、硬貨収納部６〜８のホール内径Ｄ１〜Ｄ３を小さくして硬貨の出入り口をきつくして、硬貨の抜け出しを抑制することができる。
【００３３】
また、コインホルダー１への硬貨収納・取り出し時の挿入・拘束力の調整は、硬貨収納部６〜８のホール内径Ｄ１〜Ｄ３と硬貨の直径との差数を調整する他、羽先部10の厚さＴ３や形状を適宜変更して行うことができる。
【００３４】
板状部材２は、シリコンゴム、樹脂又はゴム等の弾性体から形成されており、収納・取り出しを繰り返し行った場合にも弾性的な応力（弾性復元力）を維持可能である。
【００３５】
本実施例のコインホルダー１は、買い物に用いる実用性の高い携帯硬貨入れとして、複数の硬貨収納部４として、第１の硬貨収納部６、第２の硬貨収納部７、および第３の硬貨収納部８を備えることにより、硬貨種類毎に簡易に選択して整理することができる。
【００３６】
同一の各硬貨収納部６〜８に２種類の硬貨を混在して収納し、後に一方の種類の硬貨と他方種類の硬貨を種類毎に整理することができる。
【００３７】
また、急ぎの為、硬貨を種類毎に整理できない場合のように、一方の硬貨収納部６〜８に大きさの異なる複数種類の硬貨を収納する際は、硬貨収納部６〜８内において外側に直径の大きな硬貨を配置して、この直径の大きな硬貨で蓋をすれば、同一の硬貨収納部６〜８に大きさの異なる複数種類の硬貨を一時的に収納できる。
【００３８】
コインホルダー１は、各硬貨収納部６〜８に蓋が無いオープンケースのため、直接素早く簡易に比較的に多数の硬貨を、ホルダー本体３の一側及び他側の上下２方向から収納・取り出しできる。
【００３９】
弾性体からなる羽先部10によって硬貨を挟んで拘束するため、移動の際の振動で、硬貨収納部６〜８内の硬貨によるガチャガチャと金属衝突音がしない。
【００４０】
硬貨収納部６〜８に収納された硬貨を取り出す場合は、硬貨収納部６〜８に指を入れて硬貨収納部６〜８内の硬貨を押し出して取り出す。この場合、各硬貨収納部６〜８付近の羽先部10を含む板状部材２の鉛直方向（図中、Ｘ方向）への変形自由度が非常に高いものとなっているため、板状部材２の鉛直方向（図中、Ｘ方向）に硬貨を押すと羽先部10が容易に変形するため、硬貨の取り出しが素早く簡易にできる。
【００４１】
本実施例のコインホルダー１は、弾性体からなる複数の板状部材２を積層して形成されたホルダー本体３に形成された、各種硬貨を収納対象とした複数の硬貨収納部６〜８に、羽先部10を備えた構成をすることにより、硬貨収納部６〜８を内周全体に硬貨の抜け止め防止力のある羽先部10を有する板状多層弾性構造とし、急ぎのときには一つの硬貨収納部６〜８に２種類以上の複数の硬貨が収納可能であり、後に硬貨を種類毎に対応する各硬貨収納部６〜８へ整理し、硬貨を硬貨収納部６〜８に対してホルダー本体３の表裏２方向（軸方向Ｘ）から簡易に取り出せる実用的な財布の代わりとなるオープンコインホルダーとして提供することができる。
【００４２】
以上のように、弾性体からなる複数の板状部材２を積層して形成されたホルダー本体３と、ホルダー本体３に複数の板状部材２を貫通して形成され、収容対象の硬貨より小径に形成された硬貨収納部６〜８とを備えたコインホルダー１であって、硬貨収納部６〜８は、複数の板状部材２における貫通部９の周縁部分を薄肉状に形成した羽先部10を備え、板状部材２の弾性力に抗して押し込まれた硬貨を羽先部10で狭持可能な構成としている。
【００４３】
この場合、硬貨収納部６〜８を内周全体に硬貨の抜け止め防止力のある羽先部10を有する板状多層弾性構造とすることで、硬貨の収納・取り出しの際に、硬貨の収納・取り出しが素早く簡素にでき、収納された硬貨の抜け止めを防止することができる。また、各種硬貨にそれぞれ対応可能な大きさに形成された複数の硬貨収納部６〜８を備えたことにより、硬貨の種類毎に簡易に選択し整理することができる。
【００４４】
実施例上の効果として、図９に示すように、ホルダー本体３の隣接する板状部材２において、羽先部10付近を含む貫通部９付近は互いに離間可能に設けられており、各硬貨収納部６〜８のホール軸方向Ｘに隣接する羽先部10同士を押し広げた場合に、羽先部10から固定部５によって連結された板状部材２の周縁付近まで押し広げることも可能なため、各硬貨収納部６〜８付近の羽先部10を含む板状部材２の鉛直方向（図中、Ｘ方向）への変形自由度がより一層高いものとなり、硬貨の収納・取り出しがさらに素早く簡易にできる。
【実施例２】
【００４５】
図１０〜図１２は、本発明の実施例２を示すものである。同図において、図１〜図９と同一部分には同一符号を付し、その共通する部分の詳細な説明は省略する。本実施例では、羽先部10に貫通部９の周縁端12から仮想円11まで切り欠いて形成された切欠部14を複数備え、羽先部10の弾性復元力を軽減している。
【００４６】
以上のように本実施例では、複数の板状部材２における貫通部９の周縁部分を切り欠き、羽先部10の弾性力を軽減する切欠部14を備え、羽先部10の弾性力を軽減することにより、硬貨の収納・取り出しがより素早く簡易にすることができる。
【００４７】
本発明は、前記実施例に限定されるものではなく、本発明の要旨の範囲内で種々の変形実施が可能である。例えば、上記各実施例の硬貨収納部は、五百円硬貨を対象硬貨としていないが、五百円硬貨を対象硬貨とした硬貨収納部を備えてもよい。また、本発明の硬貨収納部は、各国の硬貨や、遊戯施設のメダルを対象硬貨として適宜変更可能である。
【符号の説明】
【００４８】
１  コインホルダー
２  板状部材
３  ホルダー本体
４  硬貨収納部
６  第１の硬貨収納部
７  第２の硬貨収納部
８  第３の硬貨収納部
９  貫通部
10  羽先部
14  切欠部
【図１】
2014018374.tif 000003
【図２】
2014018374.tif 000004
【図３】
2014018374.tif 000005
【図４】
2014018374.tif 000006
【図５】
2014018374.tif 000007
【図６】
2014018374.tif 000008
【図７】
2014018374.tif 000009
【図８】
2014018374.tif 000010
【図９】
2014018374.tif 000011
【図１０】
2014018374.tif 000012
【図１１】
2014018374.tif 000013
【図１２】
2014018374.tif 000014